(57)【要約】      （修正有）【課題】飲み物を飲む際に持ちやすく、また装飾を楽しむことができるメラミン樹脂製容器を提供する。【解決手段】底部１１と、底部の周縁部１２から立ち上がって形成された側面部１３とを有する全体略筒状のメラミン樹脂製容器１０において、底部の外底面部は平面略多角形に形成され、側面部の外周面部１５及び内周面部１６には、夫々、各種図形２４、文字２５又はキャラクターからなる装飾部１７が設けられている。側面部の外周面部には、底部の各辺部１８から、夫々、立ち上がって配設された複数の板状部１９が設けられ、板状部は、外周面部から内方へ凹設されているのが好ましい。【選択図】図１
0003197887.tif 000002
【実用新案登録請求の範囲】
【請求項１】
底部と、前記底部の周縁部から立ち上がって形成された側面部とを有する全体略筒状のメラミン樹脂製容器において、前記底部の外底面部は平面略多角形に形成され、前記側面部の外周面部及び内周面部には、夫々、装飾部が設けられていることを特徴とするメラミン樹脂製容器。
【請求項２】
前記側面部の外周面部には、前記底部の各辺部から、夫々、立ち上がって配設された複数の板状部が設けられ、前記板状部は、前記外周面部から内方へ凹設されていることを特徴とする請求項１記載のメラミン樹脂製容器。
【請求項３】
前記底部の内底面部は平面円形状に形成され、前記側面部は、上端部から下端部に至るに従って細くなるテーパー状に形成されていることを特徴とする請求項１に記載のメラミン樹脂製容器。
【請求項４】
前記装飾部は、各種図形、文字又はキャラクターからなることを特徴とする請求項１記載のメラミン樹脂製容器。
【請求項５】
前記底部は、平面九角形に形成されていることを特徴とする請求項１記載のメラミン樹脂製容器。
【考案の詳細な説明】
【技術分野】
【０００１】
本考案は、メラミン樹脂製容器に関するものである。
【背景技術】
【０００２】
従来より、熱硬化性樹脂の一つであるメラミン樹脂を用いた食器類が広く用いられている。メラミン樹脂製の食器類は、表面に光沢を有し、耐水性、耐候性、耐磨耗性にも優れているという特徴を有している。
特に、メラミン樹脂製の食器類は、メラミン樹脂を含浸させた印刷紙を表面に貼着することによって、表面装飾が容易に行えることから、図形、文字又はキャラクター等の装飾を付した食器類が数多く流通している。
【０００３】
一般に、皿等の浅型平面形状の食器類の場合は、通常食器に料理を盛り付ける表面、すなわち内周面に装飾がなされている。一方、コップ等の深型立体形状の食器類の場合は、外周面にのみ装飾がなされているのが現状である。
コップ等の深型立体形状の食器類にあっては、飲み物を飲むために使用されることがほとんどである。従って、コップ等の深型立体形状の食器類を把持して口に近づけた場合には、内周面が最も視界に入りやすい部分となるのにもかかわらず、その内周面に装飾がなされていないのは、些か使用者の興趣に欠けるものであった。
【０００４】
また、一方で、コップ等の深型立体形状の食器類にあっては、既述の通り、飲み物を飲むために使用されることがほとんどであるにもかかわらず、把持部に関する工夫がほとんどなされていなかった。
本件出願人はこのような観点から先行技術調査を行い、例えば特許文献１のような文献を発見したが、前記要請に応えられる技術ではなかった。
【特許文献１】実用新案登録第３１４２９４８号公報
【考案の開示】
【考案が解決しようとする課題】
【０００５】
本考案は、以上のような従来からの不具合を解決するためのものであって、その課題は、飲み物を飲む際に持ちやすく、また装飾を楽しむことができるメラミン樹脂製容器を提供することにある。
【課題を解決するための手段】
【０００６】
前記課題を解決するために、請求項１に記載の考案にあっては、底部と、前記底部の周縁部から立ち上がって形成された側面部とを有する全体略筒状のメラミン樹脂製容器において、前記底部の外底面部は平面略多角形に形成され、前記側面部の外周面部及び内周面部には、夫々、装飾部が設けられていることを特徴とする。
【０００７】
従って、前記メラミン樹脂製容器を把持して口に近づけた場合には、前記内周面部に設けられた装飾部が視界に入る。
【０００８】
請求項２に記載の考案にあっては、前記側面部の外周面部には、前記底部の各辺部から、夫々、立ち上がって配設された複数の板状部が設けられ、前記板状部は、前記外周面部から内方へ凹設されていることを特徴とする。
【０００９】
従って、前記メラミン樹脂製容器を把持した場合には、手指が前記複数の板状部に当接する。
【００１０】
請求項３に記載の考案にあっては、前記底部の内底面部は平面円形状に形成され、前記側面部は、上端部から下端部に至るに従って細くなるテーパー状に形成されていることを特徴とする。
【００１１】
従って、前記メラミン樹脂製容器を把持した場合には、親指とその他の指との間に形成される手のひらの空間に前記メラミン樹脂製容器が収まる。
【００１２】
請求項４に記載の考案にあっては、前記装飾部は、各種図形、文字又はキャラクターからなることを特徴とする。
【００１３】
従って、前記側面部の外周面部及び内周面部には、夫々、各種図形、文字又はキャラクターが付された装飾部が設けられる。
【００１４】
請求項５に記載の考案にあっては、前記底部は、平面九角形に形成されていることを特徴とする。
【００１５】
従って、前記側面部の外周面部には、９箇所の板状部が形成される。
【考案の効果】
【００１６】
請求項１に記載のメラミン樹脂製容器にあっては、前記側面部の外周面部及び内周面部には、夫々、装飾部が設けられているので、前記メラミン樹脂製容器を把持して口に近づけた場合には、前記内周面部に設けられた装飾部が視界に入るように構成されている。
その結果、飲み物を飲む際に装飾を楽しむことができる、興趣に富んだメラミン樹脂製容器を提供することができる。
【００１７】
請求項２及び５に記載のメラミン樹脂製容器にあっては、前記メラミン樹脂製容器を把持した場合には、手指が前記複数の板状部に当接するので、飲み物を飲む際に持ちやすいメラミン樹脂製容器を提供することができる。
特に、請求項５に記載のメラミン樹脂製容器にあっては、前記側面部の外周面部に９箇所の板状部が形成されているので、使用者の手の大きさに応じて９箇所の板状部のいずれかに使用者の手指が当接しうる。
その結果、手の大きさによらず、把持しやすいメラミン樹脂製容器を提供することができる。
【００１８】
請求項３に記載のメラミン樹脂製容器にあっては、前記側面部は、上端部から下端部に至るに従って細くなるテーパー状に形成されているので、前記メラミン樹脂製容器を把持した場合には、親指とその他の指との間に形成される手のひらの空間に前記メラミン樹脂製容器が収まる。従って、使用者は、前記メラミン樹脂製容器を、確実なフィット感をもって容易に把持することができる。
【００１９】
請求項４に記載のメラミン樹脂製容器にあっては、前記側面部の外周面部及び内周面部には、夫々、各種図形、文字又はキャラクターが付された装飾部が設けられるので、各種図形、文字又はキャラクターによる需要者への訴求効果の高いメラミン樹脂製容器を提供することができる。
【図面の簡単な説明】
【００２０】
【図１】図１は、本考案に係るメラミン樹脂製容器の一実施の形態を示す斜視図である。
【図２】図２は、本考案に係るメラミン樹脂製容器の一実施の形態を示す底面図である。
【図３】図３は、本考案に係るメラミン樹脂製容器の一実施の形態を示す平面図である。
【考案を実施するための最良の形態】
【００２１】
以下、添付図面に示す実施の形態に基づき、本考案を詳細に説明する。
図１に示すように、本考案の一実施の形態に係るメラミン樹脂製容器１０は、全体略筒状に形成され、底部１１と、底部１１の周縁部１２から立ち上がって形成された側面部１３とを有している。
図１に示すように、本実施の形態に係る側面部１３は、上端部２１から下端部２３に至るに従って細くなるテーパー状に形成されている。
また、図２に示すように、本実施の形態に係る底部１１の外底面部１４は平面九角形に形成され、図１及び図３に示すように、側面部１３の外周面部１５及び内周面部１６には、夫々、装飾部１７、１７が設けられている。
【００２２】
また、図１に示すように、本実施の形態に係る側面部１３の外周面部１５には、底部１１の各辺部１８、１８・・・から、夫々、立ち上がって、各辺部１８、１８・・・と略同一の幅寸法Ｌに配設された９枚の板状部１９、１９・・・が設けられている。図１に示すように、本実施の形態に係る板状部１９、１９・・・は、平面略長方形状に、外周面部１５から、夫々、内方へ凹設されている。
また、図１に示すように、本実施の形態に係る板状部１９、１９・・・の上縁部２０、２０・・・は、側面部１３の上端部２１から所定寸法離間して、夫々、平面半円弧状に形成されている。
【００２３】
また、図３に示すように、本実施の形態に係る底部１１の内底面部２２は平面円形状に形成され、装飾部１７が設けられている。
図１及び図３に示すように、本実施の形態に係る装飾部１７、１７・・・は、図形２４、文字２５から構成されている。
【００２４】
以下、本実施の形態に係るメラミン樹脂製容器１０の作用について、添付図面を用いて説明する。
図１〜図３に示すように、本実施の形態に係るメラミン樹脂製容器１０にあっては、側面部１３の外周面部１５及び内周面部１６には、夫々、装飾部１７、１７が設けられているので、メラミン樹脂製容器１０を把持して口に近づけた場合には、内周面部１６に設けられた装飾部１７が視界に入るように構成されている。
その結果、飲み物を飲む際に装飾を楽しむことができる、興趣に富んだメラミン樹脂製容器を提供することができる。
【００２５】
また、図１に示すように、本実施の形態に係るメラミン樹脂製容器１０にあっては、側面部１３の外周面部１５には、９枚の板状部１９、１９・・・が、夫々、内方へ凹設されているので、メラミン樹脂製容器１０を把持した場合には、外周面部１５から内方へ凹設された板状部１９、１９・・・に把持した手の指が当接する。
従って、飲み物を飲む際に持ちやすいメラミン樹脂製容器を提供することができる。
特に、本実施の形態に係るメラミン樹脂製容器１０にあっては、使用者の手の大きさに応じて９箇所の板状部のいずれかに使用者の手指が当接しうるので、手の大きさによらず、把持しやすいメラミン樹脂製容器を提供することができる。
【００２６】
また、図１に示すように、本実施の形態に係るメラミン樹脂製容器１０にあっては、側面部１３は、上端部２１から下端部２３に至るに従って細くなるテーパー状に形成されているので、メラミン樹脂製容器１０を把持した場合には、親指とその他の指との間に形成される手のひらの空間にメラミン樹脂製容器１０が収まる。
従って、使用者は、メラミン樹脂製容器１０を、確実なフィット感をもって容易に把持することができる。
【００２７】
また、図１及び図３に示すように、本実施の形態に係るメラミン樹脂製容器１０にあっては、側面部１３の外周面部１５及び内周面部１６には、夫々、図形２４、文字２５が付された装飾部１７、１７が設けられるので、図形２４、文字２５による需要者への訴求効果の高いメラミン樹脂製容器を提供することができる。
【００２８】
本実施の形態に係る底部１１の外底面部１４は平面九角形に形成されている場合を例に説明したが、前記構成に限定されず、平面略多角形に形成されていればよい。
また、本実施の形態に係る装飾部１７は、図形２４、文字２５で構成されている場合を例に説明したが、前記構成に限定されず、各種図形、文字又はキャラクター等、任意のものから構成されていればよい。
特に、メラミン樹脂を含浸させたフィルムに各種図形、文字又はキャラクターを印刷し、そのフィルムを側面部１３の外周面部１５、内周面部１６、及び底部１１の内底面部２２に、夫々、貼着することで、装飾部１７、１７・・・を構成してもよい。
【産業上の利用可能性】
【００２９】
本考案は、メラミン樹脂製容器に広く適用可能であり、産業上利用可能性を有している。
【符号の説明】
【００３０】
１０：メラミン樹脂製容器
１１：底部
１２：周縁部
１３：側面部
１４：外底面部
１５：外周面部
１６：内周面部
１７：装飾部
１８：各辺部
１９：板状部
２０：上縁部
２１：上端部
２２：内底面部
２３：下端部
２４：図形
２５：文字
【図１】
0003197887.tif 000003
【図２】
0003197887.tif 000004
【図３】
0003197887.tif 000005